(57)【要約】【課題】従来より、引出を閉めるときに、引出を途中まで閉めれば、後は自動的に家具の奥方まで完全に閉め、しかも引出を勢いよく閉めても、その勢いを緩衝して、ゆっくりと閉めるという引出の引き込み装置はあった。しかしながら、引出を開けるときに途中まで開ければ、完全に開けたり、或いは引出を勢いよく開けたときに、その勢いを緩衝したりするような引出の開放装置はなかった。【解決手段】本発明は、ダンパーのロッドとランナーとを連結体で連結したことにより、一対の係止片が待機状態のときにはケースの略中央に位置し、非待機状態のときには一対の係止片がケースの端部に位置することができるようになった。その結果、引出を途中まで開ければ、後は引出を完全に開けることができ、また引出を勢いよくあけても、その勢いを緩衝してゆっくりと開けることができるものである。【選択図】図１
2013184036.tif 000002
【特許請求の範囲】
【請求項１】
長手方向の一側にシリンダー収納部と、一側端部にバネ係止部が形成され、シリンダー収納部の近傍両側壁に主ガイド溝が形成されたケース；
シリンダーがケースのシリンダー収納部に収納され、ロッドがケースの他側方向に伸出するダンパー；
一端がダンパーのロッド先端に回動自在に取り付けられ、他端がケースの一側端部近くまで延長された連結体；
ダンパーのロッド先端とケースのバネ係止部に係止された引張バネ；
連結体の他端に回動自在に取り付けられ、第一係止片と第二係止片が対向して形成されているとともに、第一係止片近傍には第一ガイドピンが両側に突出しており、また第二係止片近傍には第二ガイドピンが両側に突出していて、これらのガイドピンがケースの主ガイド溝内を移動するランナー；
から構成されていることを特徴とする引出の開放装置。
【請求項２】
前記ロッド先端と連結体とはアダプターを介して取り付けられていることを特徴とする請求項１記載の引出の開放装置。
【発明の詳細な説明】
【技術分野】
【０００１】  本発明は、引出の付いた家具において、引出を開けたときに、引出が勢いよく飛び出してくるのを防ぐとともに、引出を開ける途中で止めても完全に開けることができる引出の開放装置（以下、単に開放装置という）に関する。
【背景技術】
【０００２】近時の家具は、引出の出し入れが円滑に行われるように、摺動部には家具用レールが取り付けられている。家具用レールとは、金属製のガイドレールとスライドレールから成るものである。ガイドレール内にはスライドレールが収納されており、ガイドレールとスライドレール間には多数のボールベアリングを配置したリテーナが設置されている。従って、引出は開閉時の滑りが非常に良好であり、引出を勢いよく押し込むと引出が家具の奥部に強く当たり、その反動で引出が少し開いてしまったり、奥部を破損したり、さらには引き出しの中に整頓して置かれていたものが崩れたりすることがあった。
【先行技術文献】
【０００３】従来より、引出を閉めたときに引き出しの勢いを緩めて奥部に強く当たるのを防ぐ引出の引き込み装置（以下、単に引き込み装置という）が例えば特許文献１に提案されている。
【特許文献】
【０００４】
【特許文献１】特開２００９−３９４９０号公報
【０００５】  図８は特許文献１の引き込み装置を設置した家具の斜視図、図９は特許文献１の引き込み装置の正面断面図である。【０００６】  家具本体１は前方が入口となった箱状であり、天部２、底部３、奥部４、側壁５、５から構成されている。側壁５、５の内側には家具用レールのガイドレール６、６が取り付けられている。【０００７】  引出７は、無蓋の箱状であり、前述家具本体１の入口からに容易に挿入できるようになっている。引出７は、前板８、奥板９、底板１０、一対の側板１１、１１から構成されており、側板１１、１１の外側には家具用レールのスライドレール１２が取り付けられている。このスライドレール１２は、前述家具本体１のガイドレール６を摺動自在に出入りさせることができるものであり、引出を勢いよく開けても引出が飛び出さないようにスライドレール或いはガイドレールにストップ機構が設置されている。【０００８】  また家具本体１の側壁５、５の内側には、引き込み装置１３、１３が取り付けられている。引き込み装置とは、引出を勢いよく閉めたときに、引出の勢いを緩衝させて引出が家具本体の奥部に強く当たるのを防ぐとともに、引出を完全に閉めず、途中で止めても、引出を完全に奥方まで引き込むことができるというものである。図８のように引き込み装置１３を家具本体の側壁５に取り付けた場合、引き込み装置と係合するストライク１４は引出７の側板１１、１１の外側に取り付ける。【０００９】  引き込み装置１３は、図９に示すようにケース１５、ランナー１６、引っ張りバネ１７、ダンパー１８から構成されている。ケース１５には両側にガイド溝１９が長手方向水平に形成されており、先端部が斜め上方に屈曲した形状となっている。またケース１５の下部には細長い開口２０が形成されている。ランナー１６はガイド溝１９に沿って移動し、ランナー１６に形成された一対の係止片２１、２２が開口２０から突出してストライク１４と係合するようになっている。【００１０】引き込み装置１３は、引出を閉めたときに図９の実線で示すように、一対の係止片２１、２２が開口２０から完全に突出し、この一対の係止片間にストライクが係止されて引出が完全に閉まった状態、即ち、非待機状態となる。そして引き込み装置は、引出を開けたときに図９の二点鎖線で示すように、一方の係止片２１が開口２０内に没入してストライクが外れ、その後、ストライクが来るのを待つという待機状態となる。【００１１】ここで引き込み装置の作動について簡単に説明する。図８に示すように、引き込み装置１３を家具本体１の側壁５、５に取り付けた場合、ケース１５の端部（図中の右端）が家具本体１の入口近くに位置するように取り付ける。そして引出７を図８のように開けたときには、ランナー１６は、図９の二点線で示すように、ケース１５の端部（図中の右端）に位置する待機状態となる。このとき一方の係止片２１は開口２０内に没し、もう一方の係止片２２だけが開口から突出している。【００１２】そして開いていた引出を閉めると、引出の側板１１に取り付けられていたストライク１４が待機状態の係止片２２に当たり、ランナー１６を図中左方へ移動させるため、もう一方の係止片２１が開口から突出する。するとストライク１４��係止片２１に係止されるとともにランナー１６が引張バネ１７によって引かれるため、ストライク１１はさらに図中左方への移動、即ちストライクが取り付けられた引出７が家具１の奥方へ引き込まれるようになる。従って、ストライクが係止片に係止された後は、それ以上、引出を押し込まなくても引出はバネ力で家具の奥方に引き込まれる。また引出を閉めるときに、勢いよく閉めた場合は、ダンパーが引き出しの勢いを緩衝して引出が家具に強く当たるのを防止するものである。
【発明の概要】
【発明が解決しようとする課題】
【００１３】ところで一般の引出では、上述のように引出を閉めるときに、引出を途中まで閉めれば家具の奥方まで完全に引き込まれ、そして引出を勢いよく閉めても、その勢いを緩衝できることがよいとされていた。しかしながら引出を開けるときに途中まで開ければ、その後は引出が完全に開くとともに、引出を勢いよく開けても、その勢いを緩衝できるような引出の開放装置（以下、単に開放装置という）というものが今まで存在しなかった。このような開放装置の用途としては、システムキッチンの特殊な引出やパソコンを使用する事務机の引出等である。【００１４】近時のシステムキッチンでは、シンクや調理台の下に大きな引出を設け、該引出の中にゴミ箱を収納することが多く採用されてきている。システムキッチンの引出に収納したゴミ箱が生ゴミ用であると、ゴミ箱の中の生ゴミの臭いが外に漏れたり、ハエやゴキブリ等の害虫がゴミ箱の中に侵入したりしないように、生ゴミを捨てるとき以外は、蓋がされており、生ゴミを捨てるときだけ、蓋を開けるようになっている。【００１５】それ故、ゴミ箱を収納した引出では、引出内のゴミ箱に生ゴミを捨てる際に、引出が途中で止まってしまうと、ゴミ箱の蓋を開けることができない。またゴミ箱に大量の生ゴミが入れられてゴミ箱の重量が重くなっている場合、引出が勢いよく開いてしまうと、大きな衝撃が家具用レールのストップ機構を破壊し、引出やゴミ箱がシステムキッチンから飛び出して、生ゴミを床に撒き散らしてしまうようなことにもなる。【００１６】また伝票処理をしたり、パソコンを使ったりする事務用机では、常時、キーボードが机の上にあると、書き物をしたり伝票処理をしたりするときにはキーボードが邪魔になる。そこで、このような事務机では、キーボード収納用の引出を設置し、パソコンを使わないときには引出を閉めておいて、パソコンが必要なときに引出を開けてキーボードを使用している。このパソコンを収納した引出も、引出を開けたときに、引出が完全に引き出されていないと、キーボードの操作がしにくくなるし、また引出を開けるときに勢いが強すぎると、引出の中に収納されていたキーボードが引出から飛び出してしまう。【００１７】このように家具業界においては、ゴミ箱やキーボードを収納した引出に対して、引出を開けるときに引出を途中で止めても引出が完全に開き、引出を勢いよく開けたときに、その勢いを緩衝できる開放装置の出現が望まれていた。【００１８】  上述のように引き込み装置は引出を閉めるときに、引出の押し込みを途中で止めても完全に家具の奥方まで引き込み、また引出を勢いよく閉めても、その勢いを緩衝するという優れたものである。そこでこの引き込み装置を引出の開時に勢いよく開けても、その勢いを緩衝し、また引出を途中までしか開けなくても完全に開けることができるという開放装置に利用することも考えられる。【００１９】  ところで開放装置は、引出を完全に開けたときが非待機状態、即ちランナーの一対の係止片がケースの開口から突出してストライクと係止している状態となっていて、一対の係止片が引き込み装置とは逆にケースの端部に位置していなければならない。しかしながら、引き込み装置は、構造上、非待機状態において一対の係止��がケースの略中央にしか位置できないものであった。
【課題を解決するための手段】
【００２０】開放装置では、待機時、即ち引出を完全に開けてケースから突出した一対の係止片とストライクが係止した状態において、ケースから突出した一対の係止片がケースの端部に位置していないと、開放装置としての機能を果たすことができない。しかしながら、引き込み装置は、ダンパーがケースの一側（図９の左側）に設置され、ランナーを該ダンパーのロッドに直接取り付けていたため、非待機状態においてランナーは、どうしてもロッドの伸出方向、つまりケースの中程にしか位置することができないものである。従って、如何に引き込み装置の取り付け位置を変えようとも、引き込み装置を開放装置としては絶対に使用できないものである。そこで本発明者は、引き込み装置におけるダンパーの緩衝作用と、引張バネによる引出の完全移動作用という優れた特長を生かして、待機状態におけるランナーの位置をケースの端部にすることができれば、いままで全く考えられなかった開放装置ができることに着目して本発明を完成させた。【００２１】本発明は、
長手方向の一側にシリンダー収納部と、一側端部にバネ係止部が形成され、シリンダー収納部の近傍両側壁に主ガイド溝が形成されたケース；
シリンダーがケースのシリンダー収納部に収納され、ロッドがケースの他側方向に伸出するダンパー；
一端がダンパーのロッド先端に回動自在に取り付けられ、他端がケースの一側端部近くまで延長された連結体；
ダンパーのロッド先端とケースのバネ係止部に係止された引張バネ；
連結体の他端に回動自在に取り付けられ、第一係止片と第二係止片が対向して形成されているとともに、第一係止片近傍には第一ガイドピンが両側に突出しており、また第二係止片近傍には第二ガイドピンが両側に突出していて、これらのガイドピンがケースの主ガイド溝内を移動するランナー；
から構成されていることを特徴とする引出の開放装置である。
【発明効果】
【００２２】  本発明の開放装置は、引出を途中まで開ければ必ず全開し、また引出を開けるときに勢いを緩衝させるため、引出が飛び出すことも決してないという斯業界においては全く新規な作用効果を奏するものである。
【図面の簡単な説明】
【００２３】
【図１】本発明開放装置の分解斜視図
【図２】本発明開放装置において待機状態を説明する中央断面図
【図３】本発明開放装置において非待機状態を説明する中央断面図
【図４】本発明開放装置を家具の側壁に取り付け、ストライクを引出の側板に取り付けたときの待機状態を説明する正面図（引出の側板は透視）
【図５】本発明開放装置を家具の側壁に取り付け、ストライクを引出の側板に取り付けたときの非待機状態を説明する正面図（引出の側板は透視）
【図６】図４の平面図
【図７】図４の側面図
【図８】引出の引き込み装置を取り付けた家具の斜視図
【図９】引出の引き込み装置の正面断面図
【発明を実施するための形態】
【００２４】以下図面に基づいて本発明の開放装置を説明する。本発明の開発装置は、図４〜７のように、家具本体の側壁に取り付けたり、或いは図示しないが引出の側板に取り付けたりするため、取付状態により上下左右の位置関係はなくなる。しかしながら、開放装置を理解に便宜なように図面で見たとおりの上、下、左、右の文言を用いて説明する。
【００２５】本発明の開放装置Ｋは、ケース３０、ダンパー４０、連結体５０、引張バネ６０、ランナー７０から構成されており、実際にはストライクＳとともに家具または引出に取り付けられる。
【００２６】  ケース３０は、横長の矩形形状を呈しており、一側（図中右側）が空洞のシリンダー収納部３１となっており、シリンダー収納部３１の上部には長手方向に沿って溝状のバネ収納溝３２が形成されている。該バネ収納溝の一側端部（図中右端）にはバネ係止部３３が形成されている。そしてシリンダー収納部３１の近傍（図中収納部の下部）となるところのケースの両側壁には主ガイド溝３４が形成されている。主ガイド溝３４は、シリンダー収納部３１と平行な直線状であり、一端（図中左端）が上方に屈曲している。主ガイド溝３４を形成した両側壁間は下部が開口３５となっている。またケース３０の他側（図中左側）の両側壁にも主ガイド溝３４と略同一形状の副ガイド溝３６が形成されている。さらにケース両側壁のシリンダー収納部３１と主ガイド溝３４間には、直線ガイド溝３７が形成されている。さらにまたケース３０の他側（図中左側）下部は、左端部が上方に向いた摺動面３８となっている。そしてバネ収納溝３２を延長した部分は、副ガイド溝３６まで達する空間部３９となっている。
【００２７】ダンパー４０は、円筒状のシリンダー４１、ロッド４２および取付片４３からなり、ロッドがシリンダー内に押し込まれるときに、その勢いを緩衝するようになっている。シリンダー４１は、前述ケース３０のシリンダー収納部３１に収納され、ロッド４２はケース３０の空間部９内をケースの他側（図中左側）方向に伸出するようになっている。ロッド４２の先端には、端部を円筒状とした取付片４３が取り付けられている。
【００２８】連結体５０は、ロッド先端と後述ランナーを連結するものであり、実施例では連結体５０とロッド４２はアダプター５３を介して接続されている。そして連結体５０は、ランナー７０と接続する端部がケース３０の一側（図中右側）近くまで延長されている。実施例に示す連結体は、短脚５１と長脚５２からなるＬ字型である。短脚５１はアダプター５３を介してロッド４２と回動自在に取り付けられており、長脚５２は端部がケースの一側（図中右側）近くまで延長されている。短脚５１と接続するアダプター５３は、略三角形となっており、頂部にバネ係止部５４が形成されていて、底辺の二箇所に副第一ガイドピン５５と副第二ガイドピン５６が両側に突出している。この副第一ガイドピン５５と副第二ガイドピン５６は、前述ケース３０に形成された副ガイド溝３６内を移動するものである。
【００２９】  副第一ガイドピン５５は軸となっていて、連結体５０とアダプター５３の接続を回動自在にしている。そしてアダプター５３のバネ係止部５４と副第二ガイドピン５６の略中央となるところには前述取付片４３先端の円筒状と略同一径の窪みとなったロッド係合部５７が形成されている。ロッド係合部５７には、取付片４３が回動自在に取り付けられている。また連結体５０の屈曲した部分の両側には、摺動ピン５８が突出している。該摺動ピンは、ケース３０の摺動面３８に沿って移動するものである。
【００３０】ケース３０の端部に形成されたバネ係止部３３と、ロッド４２の先端に取り付けられたアダプター５３のバネ係止部５４間には引張バネ６０が引張った状態で係止されている。従って、ダンパー４０のロッド４２は、常時、引張バネ６０によりシリンダー４１内に引き込まれる方向にバネ付勢されており、このバネ付勢はアダプター５３、連結体５０を介してランナー７０に伝えられるようになっている。
【００３１】  ランナー７０には、第一係止片７１と第二係止片７２の一対の係止片が形成されており、第一係止片７１の近傍には第一ガイドピン７３が、そして第二係止片７２の近傍には第二ガイドピン７４が両側に突出している。この第一ガイドピン７３と第二ガイドピン７４は、前述ケース３０の主ガイド溝３４内を移動するものである。ランナー７０は、第一ガイドピン７３を軸にして前述連結体５０と回動自在に接続されている。またランナー７０の上部には第三ガイドピン７５が形成されており、この第三ガイドピンはケース３０の直線ガイド溝３７内を移動するようになっている。
【００３２】  符号Ｓは、ストライクである。ストライクＳは矩形の板状の表側に一対の第一係止板８１と第二係止板８２が対向して設置されており、その裏側には位置合わせ用の突起８３が二個形成されている。
【００３３】次に上記構造を有する本発明の開放装置の作動について説明する。
【００３４】図４〜７に示すように、開放装置Ｋをランナー７０が図中右側になるようにして家具本体の側壁５の入口近くに取り付け、ストライクＳを引出７の側板１１の最奥に取り付ける。このとき開放装置Ｋは、非待機状態のランナー７０が一側（図中右側）になるように家具本体の側壁５の入口近くに取り付ける。そしてストライクＳは、引出７の側板７の最奥（図中左）の下部に取り付ける。このとき開放装置ＫとストライクＳとは、開放装置の一対の係止片７１、７２がストライクＳの一対の係止板８１、８２に当たるような位置にする。
【００３５】  ここで本発明開放装置の作動状態について説明する。
【００３６】引出が閉まっているときは、図２、４に示すように、ランナー７０はケース３０のやや中程に位置した待機状態となっている。このときダンパー４０のロッド４２は最長に伸出しているとともに、ロッド先端にあるアダプター５３とケース３０のバネ係止部３３に係止された引張バネ６０も最長で最強の引張力となっている。そしてロッド先端の取付片４３に取り付けられたアダプター５３は、副第一ガイドピン５５が副ガイド溝３６の他側屈曲部の上端に位置し、副第二ガイドピン５６が副ガイド溝３６の直線部に位置している。従って、アダプター５３は、副第一ガイドピン５５が副ガイド溝３６の屈曲部に引っ掛かるため、ケースの他側（図中左側）でロックされた状態となる。
【００３７】またランナー７０は、第一ガイドピン７３が主ガイド溝３４の他側（左側）の屈曲部の上端に位置し、第二ガイドピン７４が主ガイド溝３４の直線部に位置している。従って、ランナー７０は、第一ガイドピン７３が主ガイド溝３７の屈曲部に引っ掛かるため、ケースの他側（図中左側）でロックされた状態となる。このときランナー７０の第一係止片７１は、ランナーが傾斜しているため、ケース３０の開口３５内に殆ど没しており、第二係止片７２だけが突出している。
【００３８】  このようにアダプター５３とランナー７０は、副ガイド溝３６と主ガイド溝３４でそれぞれロックされるため、ロックが簡単に解除されることがない。またランナー７０の第三系止片７５は、直線ガイド溝３７内にあるため、ランナー７０の移動を安定にしている。さらに連結体５０の摺動ピン５８がケース３０の摺動面３８に沿って移動することから、ランナー７０の移動を確実にするものである。
【００３９】  閉まっている引出を開けると、引出の側板１１の他端（図中左端）に取り付けられていたストライクＳが一側（図中右側）方向に移動してきて、ストライクＳの第二係止板８２が開口３５から突出している第二係止片７２に当たり、待機状態で主ガイド溝３４の屈曲部上端にあったランナーの第一ガイドピン７３が主ガイド溝３４の直線部に戻されるため、ロックが解除され、傾斜していたランナーは、傾斜が正されて開口３５から突出してくる。すると連結体５０と連結されているアダプター５３もロックが解除される。
【００４０】  そしてストライクＳの第二係止板８２と第一係止板８１は、ランナーの第一係止片７１と第二係止片７２間に挟まれるようになる。その後、アダプター５３は、引張バネ６０に引張られて一側（図中右側）に移動し、その移動にともなって連結体５０も移動する。すると連結体５０に接続されていたランナー７０も移動するため、ストライクＳが取り付けられていた引出が開く方向（図中右方）に移動する。
【００４１】引出を開けて途中で開けるのをやめても、ランナー７０は連結体５０、アダプター５３、取付片４３等を介してロッド４２に連結されており、ロッド４２は引張バネ６０で一側（図中右側）にバネ付勢されているため、引出は完全に開放される。また引出を勢いよく開けた場合、勢いのある力がストライクＳからランナー７０、連結体５０、アダプター５３、取付片４３を介して、ダンパー４０のロッド４２に伝わるため、勢いを緩衝して引出をゆっくり開けるものである。
【産業上の利用分野】
【００４２】本発明は、システムキッチンのゴミ箱収納用引出やキーボード収納用引出に限らず、机、キャビネット、整理ダンス等の引出にも適用できるものである。
なお実施例では、ダンパーのロッドとランナーを連結する連結体として、Ｌ字型のもので示したが、ロッドとランナーを連結してロッドの力をランナーに伝えることができるものであれば、如何なる形状、構造のものでも使用できることは言うまでもない。
【符号の説明】
【００４３】  Ｋ  引出の開放装置
Ｓ  ストライク
３０  ケース
３１  シリンダー収納部
３２  バネ収納溝
３３  バネ係止部
３４  主ガイド溝
３５  開口
３６  副ガイド溝
３７  直線ガイド溝
３８  摺動面
３９  空間部
４０  ダンパー
４１  シリンダー
４２  ロッド
４３  取付片
５０  連結体
５１  短脚
５２  長脚
５３  アダプター
５４  バネ係止部
５５  副第一ガイドピン
５６  副第二ガイドピン
５７  ロッド係合部
５８  摺動ピン
６０  引張バネ
７０  ランナー
７１  第一係止片
７２  第二係止片
７３  第一ガイドピン
７４  第二ガイドピン
７５  第三ガイドピン
【図１】
2013184036.tif 000003
【図２】
2013184036.tif 000004
【図３】
2013184036.tif 000005
【図４】
2013184036.tif 000006
【図５】
2013184036.tif 000007
【図６】
2013184036.tif 000008
【図７】
2013184036.tif 000009
【図８】
2013184036.tif 000010
【図９】
2013184036.tif 000011